(57)【特許請求の範囲】
【請求項１】
ワイヤハーネスが内外に跨って設けられるとともに、該ワイヤハーネスの、外側に導出された部分を固定する際に用いられる略ベラ状又は略半円筒状の導出ガイドが形成される箱本体と、前記導出ガイドに対応する位置に少なくとも前記ワイヤハーネスが通されるスリットが形成されていて前記箱本体に係合せしめられるカバーと、を備えた電気接続箱において、組立時に、のびる方向の異なる２つの前記ワイヤハーネスの噛み込みを防止するハーネス噛み込み防止構造であって、前記導出ガイドは前記箱本体とカバーとの嵌合面よりもカバー側に延出して設けられていて、前記箱本体とカバーとの嵌合により前記カバーのスリットの一部を覆うようになっており、該導出ガイドの両側には、前記スリットの切り欠き方向にのび且つ間隔が前記スリットの幅と同じか又は該スリットの幅よりも狭くなる一対の壁が設けられるとともに該一対の壁は、いずれか一方の壁がいずれか他方の壁よりも前記切り欠き方向に長く形成されていることを特徴とする電気接続箱のハーネス噛み込み防止構造。
【請求項２】
請求項１に記載の電気接続箱のハーネス噛み込み防止構造において、前記いずれか一方の壁には前記導出ガイドに固定される前記ワイヤハーネスとは別のワイヤハーネスの、外側に導出された部分を固定する固定手段を設けたことを特徴とする電気接続箱のハーネス噛み込み防止構造。
【請求項３】
請求項２に記載の電気接続箱のハーネス噛み込み防止構造において、前記いずれか一方の壁に穿設される孔と、該孔に取り付けられるハーネス固定用のクランプとを備えて前記固定手段を構成したことを特徴とする電気接続箱のハーネス噛み込み防止構造。
【発明の詳細な説明】
【０００１】
【発明の属する技術分野】
本発明は、電気接続箱の箱本体の内外に跨って設けられるワイヤハーネスに対してのハーネス噛み込み防止構造に関する。
【０００２】
【従来の技術】
一般に自動車等の車両は、搭載される各種電気機器への配線を行うに当たり、その電気回路を保護するための多数のヒューズ又はヒュージブルリンクを抜き差し可能に構成した箱状の電気接続箱を車両内の適宜スペースに配置するようになっている。その電気接続箱は、ヒューズボックスやヒューズブロックと呼ばれることもあり、また、リレーやバスバー等を備えることもあるから、リレーボックスやリレーブロックなどと呼ばれることもある。
【０００３】
以下、上記のリレーブロックを例にして説明すると、そのリレーブロックは通常、ワイヤハーネスを内外に跨るように設けたリレーブロック本体と、リレーブロック本体に係合するアッパーカバー及びロアカバーとを備えており、ロアカバーに形成されたスリットからは、リレーブロック本体に装着されるヒュージブルリンクやリレー等に接続されたワイヤハーネスがその外側へ導出されるように構成されている。
【０００４】
ワイヤハーネスは、リレーブロック本体を区画する周壁外面に設けた略ベラ状又は略半円筒状の導出ガイドに、例えばテープ巻きなどによって少なくとも部分的に固定されるようになっている。また、ロアカバーは、導出ガイドにワイヤハーネスを固定した後にリレーボックス本体に係合するようになっている。
【０００５】
【発明が解決しようとする課題】
ところで上記従来技術にあっては、リレーブロック本体から外側へ導出されるワイヤハーネスがロアカバーのスリットに確実に通されない状態で、即ち、ワイヤハーネスの一部がはみ出した状態で、リレーブロック本体とロアカバーとの係合がなされる恐れがあった。そして仮にそのような状態で係合がなされると、スリットの開口縁近傍でワイヤハーネスの噛み込みが生じ、組み付け作業の効率低下や断線を引き起こしてしまうようになる。
【０００６】
本発明は、上述した事情に鑑みてなされるもので、組み立ての際のワイヤハーネスの噛み込みを防止する電気接続箱のハーネス噛み込み防止構造を提供することを課題とする。
【０００７】
【課題を解決するための手段】
上記課題を解決するためなされた請求項１記載の本発明の電気接続箱のハーネス噛み込み防止構造は、ワイヤハーネスが内外に跨って設けられるとともに、該ワイヤハーネスの、外側に導出された部分を固定する際に用いられる略ベラ状又は略半円筒状の導出ガイドが形成される箱本体と、前記導出ガイドに対応する位置に少なくとも前記ワイヤハーネスが通されるスリットが形成されていて前記箱本体に係合せしめられるカバーと、を備えた電気接続箱において、組立時に、のびる方向の異なる２つの前記ワイヤハーネスの噛み込みを防止するハーネス噛み込み防止構造であって、前記導出ガイドは前記箱本体とカバーとの嵌合面よりもカバー側に延出して設けられていて、前記箱本体とカバーとの嵌合により前記カバーのスリットの一部を覆うようになっており、該導出ガイドの両側には、前記スリットの切り欠き方向にのび且つ間隔が前記スリットの幅と同じか又は該スリットの幅よりも狭くなる一対の壁が設けられるとともに該一対の壁は、いずれか一方の壁がいずれか他方の壁よりも前記切り欠き方向に長く形成されていることを特徴としている。
【０００８】
請求項２記載の本発明の電気接続箱のハーネス噛み込み防止構造は、請求項１に記載の電気接続箱のハーネス噛み込み防止構造において、前記いずれか一方の壁には前記導出ガイドに固定される前記ワイヤハーネスとは別のワイヤハーネスの、外側に導出された部分を固定する固定手段を設けたことを特徴としている。
【０００９】
請求項３記載の本発明の電気接続箱のハーネス噛み込み防止構造は、請求項２に記載の電気接続箱のハーネス噛み込み防止構造において、前記いずれか一方の壁に穿設される孔と、該孔に取り付けられるハーネス固定用のクランプとを備えて前記固定手段を構成したことを特徴としている。
【００１０】
請求項１に記載された本発明によれば、カバーを箱本体に係合させる際、箱本体の外側に導出されたワイヤハーネスは、導出ガイドの両側に設けられる一対の壁に挟まれるようにその間に位置することから、カバーを箱本体に係合させてもワイヤハーネスがはみ出すことなくスリットに確実に挿し入れられる。その結果、スリットの開口縁近傍でのワイヤハーネスの噛み込みが確実に防止される。
箱本体の外側に導出されるワイヤハーネスの数が二以上であっても、スリットの開口縁近傍に位置することになるワイヤハーネスは一対の壁の間に位置する。
【００１１】
請求項２に記載された本発明によれば、前記ワイヤハーネスとは別のワイヤハーネスは、いずれか一方の壁に設けられる固定手段に固定されるから、当然にはみ出すことなくスリットに確実に挿し入れられる。また、一対の壁のうちのいずれか一方の壁を、いずれか他方の壁よりもスリットの切り欠き方向に長く形成してあるから、そこに前記固定手段を設けると、箱本体から導出された後の、のびる方向が異なるワイヤハーネスでも取り扱いがし易くなると言う利点がある。
【００１２】
請求項３に記載された本発明によれば、固定手段が具体的になる。即ち、スリットの開口縁近傍に位置することになるワイヤハーネスとは別のワイヤハーネスは、いずれか一方の壁に穿設された孔に取り付けられるハーネス固定用のクランプに固定される。上記別のワイヤハーネスは、はみ出すことなくスリットに確実に挿し入れられる。
【００１３】
【発明の実施の形態】
以下、図面を参照して本発明の一実施の形態を説明する。
図１は本発明の電気接続箱のハーネス噛み込み防止構造の一実施の形態を示す斜視図である。また、図２は箱本体の側面図、図３は箱本体の正面図、図４はロアカバーの正面図を示している。
【００１４】
図１において、引用符号１で示されるリレーブロックは、リレーブロック本体２と、そのリレーブロック本体２に係合するアッパーカバー（不図示）及びロアカバー３とを備えている。また、リレーブロック本体２とロアカバー３との間からは、リレーブロック本体２の内外に跨って設けられるワイヤハーネス４、５が導出されている。リレーブロック１は、特許請求の範囲に記載した電気接続箱に相当するものであり、本形態のリレーブロック１以外にはヒューズブロックやジャンクションブロック（ジャンクションボックス）などに本発明を適用することができるものとする。また、リレーブロック本体２は特許請求の範囲に記載した箱本体に相当し、ロアカバー３は特許請求の範囲に記載したカバーに相当するものとする。尚、本明細書中においては、リレーブロック本体２に対して上記アッパーカバー側が上、ロアカバー３側が下と定義して以下を説明するものとする。先ず上記構成について説明し、その後に作用を説明する。
【００１５】
リレーブロック本体２はその主要部が合成樹脂製であって、上下が開放された矩形の箱状に形成されている。また、そのリレーブロック本体２の外形を形成する周壁６の内側には、複数のキャビティ７が配置されている。複数のキャビティ７は、各々上側が開口形成されており、そこには対応するリレー８やヒュージブルリンク９等が各々装着されるようになっている。周壁６のうちの一壁、即ちワイヤハーネス４、５をリレーブロック本体２の外側に導出すべく位置する例えば正面壁１０には、ワイヤハーネス４の、外側に導出された部分を固定する際に用いられる導出ガイド１１が突出するように形成されている。
【００１６】
導出ガイド１１は、略ベラ状又は略半円筒状に形成されていて、図１及び図２からも明らかなように、リレーブロック本体２とロアカバー３との嵌合面２ａよりもロアカバー３側に延出して設けられ、導出されたワイヤハーネス４をテープ１２で捲いて固定することができるように構成されると共に前記リレーブロック本体２とロアカバー３とを嵌合した際にロアカバー３の後述するスリット１９のきりかき開口縁を覆うようになっている。本形態の導出ガイド１１は、正面壁１０の中央よりも端側に且つ上方へ若干傾斜（本形態のワイヤハーネス４と５はのびる方向が異なるため）して形成されている。
【００１７】
導出ガイド１１の両側には、一対の壁１３、１４が形成されており、リレーブロック本体２から導出されたワイヤハーネス４がテープ巻きによって導出ガイド１１に固定されると、そのワイヤハーネス４が壁１３、１４間に挟まれるように位置し（隙間があっても可）、噛み込みにつながるハーネスのはみ出しが規制されるようになる。
【００１８】
壁１３、１４について図１ないし図３を参照しながらもう少し具体的に説明すると、その壁１３、１４は各々、導出ガイド１１の基端（根本）部分に一体に形成されている。また、壁１３、１４の各先端が下へ（後述するスリット１９の切り欠き方向に一致する）のびる略短冊片状に形成されている。さらに、壁１３、１４は、その間隔Ｄ１が後述するスリット１９の幅Ｄ２（図４参照）と同じ又は狭くなるように配置されており、一方の壁１３が他方の壁１４よりも長く形成されている（本形態においては他方の壁１４の長さの約二倍の長さが一方の壁１３の長さになっている（図２参照）。但し、導出されるハーネスが一つのみの場合はこの限りではない）。
【００１９】
壁１３は、正面壁１０の上記中央の近傍に位置している。また、壁１３の先端側には円形に貫通する孔１５が穿設されており、そこにワイヤハーネス５の、外側に導出された部分を固定するクランプ１６が取り付けられるようになっている。孔１５及びクランプ１６は、特許請求の範囲に記載した固定手段に相当するものであり、例えばクランプ１６に設けられた係止突起が孔１５に嵌合するような構成になっている（固定手段としての孔１５及びクランプ１６は一例である。テープ巻きで固定するような構成にしてもよい）。
【００２０】
壁１４は、正面壁１０の上記端側に位置している。また、壁１４ののび方向の長さは、ワイヤハーネス４の直径に合わせて形成されている（ワイヤハーネス４の直径以上であり、組み立てに影響のない長さが好ましい）。本形態の壁１４は、その幅が一方の壁１３の幅よりも短くなるように形成されている（図２参照）。
【００２１】
尚、上記複数のキャビティ７の下には、図示しないバスバーが所望のパターンで配索されているものとする。また、複数のキャビティ７の下側においてワイヤハーネス４、５の端末が電気的に接続されるように構成されているものとする。さらに、周壁６の上側の端部には上記アッパーカバーが、下側の端部にはロアカバー３が適宜ロック手段で係合しあうように構成されているものとする。
【００２２】
一方、図１又は図３において、ロアカバー３はリレーブロック本体２に対して係合する側が開放された有底の矩形箱状に形成されている（合成樹脂製）。また、その周壁１７のうちの上記正面壁１０に対応する壁１８には、係合に係る端部から下へ向けて切り欠かれたＵ字状のスリット１９が形成されている。そのスリット１９には、ロアカバー３の係合時にワイヤハーネス４、５が挿し通されるようになっている。
【００２３】
上記構成において、リレーブロック１の組み立てを説明しながらハーネス噛み込み防止構造の作用を説明する（図１参照）。先ずリレーブロック本体２にリレー８やヒュージブルリンク９等を各々装着するとともに、ワイヤハーネス４、５の各端末を所定の位置に接続する。そして、ワイヤハーネス４、５をリレーブロック本体２の外側に導出し、上側のワイヤハーネス４を導出ガイド１１に対してテープ巻きにより固定する。またこの時、下側のワイヤハーネス５もクランプ１６を介して壁１３に固定する。次に、アッパーカバー及びロアカバー３をリレーブロック本体２に係合させると、ロアカバー３側ではスリット１９に対して先ず壁１３に固定されたワイヤハーネス５が挿し通される。続いて上記スリット１９には、壁１３、１４の間に挟まれテープ１２で固定されたワイヤハーネス４が挿し通される。その後、ロアカバー３とリレーブロック本体２との係合が完了し、そして、アッパーカバーの係合も完了すると、リレーブロック１の一連の組み立てが完了する。
【００２４】
ワイヤハーネス４、５は、導出ガイド１１に一対の壁１３、１４を設けて構成したハーネス噛み込み防止構造により、スリット１９の開口縁近傍でのハーネスのはみ出しが確実に防止される。これにより、組み付け作業に係る効率が向上するとともに、ワイヤハーネスの断線が防止される。尚、本形態のハーネス噛み込み防止構造は、リレーブロック本体２から導出された後の、のびる方向が異なるワイヤハーネス４、５に対して有用な構成になっている（ワイヤハーネス４は上方へのびる。ワイヤハーネス５は反対の下方へのびる）。その他、本発明は本発明の主旨を変えない範囲で種々変更実施可能なことは勿論である。
【００２５】
【発明の効果】
以上説明したように、請求項１に記載された本発明によれば、カバーを箱本体に係合させてもワイヤハーネスがはみ出すことなくスリットに確実に挿し入れられる。従って、スリットの開口縁近傍でのワイヤハーネスの噛み込みを確実に防止することができる。これにより、組み付け作業に係る効率が向上するとともにワイヤハーネスの断線が防止される。
箱本体の外側に導出されるワイヤハーネスの数が二以上であっても、スリットの開口縁近傍に位置することになるワイヤハーネスは一対の壁の間に位置するから、噛み込みを確実に防止することができる。
【００２６】
請求項２に記載された本発明によれば、前記ワイヤハーネスとは別のワイヤハーネスは、いずれか一方の壁に設けられる固定手段に固定されるから、当然にはみ出すことなくスリットに確実に挿し入れられる。また、一対の壁のうちのいずれか一方の壁を、いずれか他方の壁よりもスリットの切り欠き方向に長く形成してあるから、そこに前記固定手段を設けると、箱本体から導出された後の、のびる方向が異なるワイヤハーネスでも取り扱いがし易くなると言う利点がある。
【００２７】
請求項３に記載された本発明によれば、請求項２に記載の固定手段を具体化したもので、その固定手段は、いずれか一方の壁に穿設された孔と、その孔に取り付けられるハーネス固定用のクランプとを備えて構成される。従って、スリットの開口縁近傍に位置することになるワイヤハーネスとは別のワイヤハーネスをクランプに固定することで、箱本体の外側に導出されるワイヤハーネスの数が二以上であっても、ワイヤハーネスの噛み込みを確実に防止することができる。
【図面の簡単な説明】
【図１】本発明による電気接続箱のハーネス噛み込み防止構造の一実施の形態を示す斜視図である。
【図２】箱本体の側面図である。
【図３】箱本体の正面図である。
【図４】ロアカバーの正面図である。
【符号の説明】
１  リレーブロック（電気接続箱）
２  リレーブロック本体（箱本体）
３  ロアカバー（カバー）
４、５  ワイヤハーネス
１１  導出ガイド
１３、１４  壁（一方の壁、他方の壁）
１５  孔（固定手段）
１６  クランプ（固定手段）
１９  スリット
【図１】
0004175765.tif 000002
【図２】
0004175765.tif 000003
【図３】
0004175765.tif 000004
【図４】
0004175765.tif 000005